(57)【特許請求の範囲】
【請求項１】
掲示面に添接させるための貫通孔、又は貫通孔を形成するための領域を有した基板と、この基板に設けられ前面側に掲示物を着脱可能に保持するための綴じ具とを具備してなり、前記基板が、前記掲示面に添接する掲示姿勢と前記掲示物を包持するファイリング姿勢とを採り得るように構成されている掲示装置であって、
前記基板が、前記掲示姿勢において前記掲示物を裏当て支持するとともに前記ファイリング姿勢において表紙として機能する基板本体と、この基板本体の一端に設けられ前記掲示姿勢において見出しとして機能する見出し部とを備えたものであり、
前記基板本体が、前記掲示姿勢と前記ファイリング姿勢とを採るべく、前記見出し部の前記基板本体に対する相対位置を変更するための複数の折り線を備えているものであり、
前記複数の折り線が、前記ファイリング姿勢を採る際に折り曲げられる第一の谷折り線と、前記掲示姿勢を採る際に折り曲げられる第二の谷折り線である掲示装置。
【請求項２】
前記基板が、画鋲を貫装可能な貫通孔を形成するための領域を有している請求項１記載の掲示装置。
【請求項３】
前記基板が、懸吊具を掛止可能な懸吊具用の貫通孔を有している請求項１又は２記載の掲示装置。
【請求項４】
前記綴じ具が、前記基板に植設され前記掲示物に設けたパンチ孔に貫通可能な綴じ足と、この綴じ足の貫通端側に装着され前記掲示物の前記綴じ足からの外れを防止する綴じ具本体とを備えている請求項１、２又は３記載の掲示装置。
【請求項５】
前記基板本体及び前記見出し部が、共通の紙材により一体に作られたものである請求項１、２、３又は４記載の掲示装置。
【請求項６】
前記基板が、前記基板本体の一端に連設され前記掲示姿勢において見出しとして機能するとともに前記ファイリング姿勢において前記基板本体と係わり合う見出し部とを備えており、
前記基板本体又は前記見出し部の何れか一方に配された係止片と、他方に配されたスリットとを係わり合わせることにより、前記ファイリング姿勢が維持されるようになっている請求項１、２、３、４又は５記載の掲示装置。
【請求項７】
掲示面に添接させるための貫通孔、又は貫通孔を形成するための領域を有した基板と、この基板に設けられ前面側に掲示物を着脱可能に保持するための綴じ具とを具備してなり、前記基板が、前記掲示面に添接する掲示姿勢と前記掲示物を包持するファイリング姿勢とを採り得るように構成され、前記掲示姿勢において前記掲示物を裏当て支持するとともに前記ファイリング姿勢において表紙として機能する基板本体を有したものであり、
前記基板本体が、表表紙と、背表紙と、懸吊具用の一方の貫通孔が配された裏表紙と、接続表紙とをこの順に一体的に連設したものであり、前記裏表紙と前記接続表紙との間に山折り線が介在したものであり、
前記接続表紙には、前記山折り線を介して前記裏表紙に重なるように折り返した際に、前記一方の貫通孔に合致する部位に懸吊具用の他方の貫通孔が形成されている掲示装置。
【発明の詳細な説明】
【技術分野】
【０００１】
本発明は、掲示物を掲示するための掲示装置に関する。
【背景技術】
【０００２】
学校等に設けられた掲示面に、生徒の作品や回覧物といった紙葉類を掲示物として掲示する場合、従来は、平板状の裏当てシートを掲示面に取り付けた上で、当該裏当てシートに対して糊付けによって掲示物を重ね貼りしたり、或いは、画鋲によって掲示物を重ね付けしたりすることにより行われていた（例えば、特許文献１を参照）。
【０００３】
ところが、従来のものは、裏当てシートに対して掲示物が糊付けや画鋲により留められているため、裏当てシートに対して掲示物が離脱し易いという不具合がある。
【０００４】
更に、従来のものは、前記掲示物を移動したり保管したりすることを考慮した構造のものではないため、移動や保管をする場合には掲示物がばらついてしまうという不具合もある。
【先行技術文献】
【特許文献】
【０００５】
【特許文献１】実用新案登録第３１７８８８５号公報
【発明の概要】
【発明が解決しようとする課題】
【０００６】
本発明は、以上のような事情に着目してなされたものであり、掲示面に好適に添接され得るものであり、用紙等の掲示物を好適に保持するとともに移動や保管をする場合の利便性にも優れた掲示装置を提供することにある。
【課題を解決するための手段】
【０００７】
すなわち、本発明は次の構成をなしている。
【０００８】
請求項１の記載の掲示装置は、掲示面に添接させるための貫通孔、又は貫通孔を形成するための領域を有した基板と、この基板に設けられ前面側に掲示物を着脱可能に保持するための綴じ具とを具備してなり、前記基板が、前記掲示面に添接する掲示姿勢と前記掲示物を包持するファイリング姿勢とを採り得るように構成されている掲示装置であって、前記基板が、前記掲示姿勢において前記掲示物を裏当て支持するとともに前記ファイリング姿勢において表紙として機能する基板本体と、この基板本体の一端に設けられ前記掲示姿勢において見出しとして機能する見出し部とを備えたものであり、前記基板本体が、前記掲示姿勢と前記ファイリング姿勢とを採るべく、前記見出し部の前記基板本体に対する相対位置を変更するための複数の折り線を備えているものであり、前記複数の折り線が、前記ファイリング姿勢を採る際に折り曲げられる第一の谷折り線と、前記掲示姿勢を採る際に折り曲げられる第二の谷折り線である。
【０００９】
請求項２に記載の掲示装置は、請求項１記載の構成において、前記基板が、画鋲を貫装可能な貫通孔を形成するための領域を有している。
【００１０】
請求項３に記載の掲示装置は、請求項１又は２記載の構成において、前記基板が、懸吊具を掛止可能な懸吊具用の貫通孔を有している。
【００１２】
請求項４に記載の掲示装置は、請求項１、２又は３記載の構成において、前記綴じ具が、前記基板に植設され前記掲示物に設けたパンチ孔に貫通可能な綴じ足と、この綴じ
足の貫通端側に装着され前記掲示物の前記綴じ足からの外れを防止する綴じ具本体とを備えている。
【００１３】
請求項５に記載の掲示装置は、請求項１、２、３又は４記載の構成において、前記基板本体及び前記見出し部が、共通の紙材により一体に作られたものである。
【００１５】
請求項６に記載の掲示装置は、請求項１、２、３、４又は５記載の構成において、前記基板が、前記基板本体の一端に連設され前記掲示姿勢において見出しとして機能するとともに前記ファイリング姿勢において前記基板本体と係わり合う見出し部とを備えており、前記基板本体又は前記見出し部の何れか一方に配された係止片と、他方に配されたスリットとを係わり合わせることにより、前記ファイリング姿勢が維持されるようになっているものである。
また、請求項７に記載の掲示装置は、掲示面に添接させるための貫通孔、又は貫通孔を形成するための領域を有した基板と、この基板に設けられ前面側に掲示物を着脱可能に保持するための綴じ具とを具備してなり、前記基板が、前記掲示面に添接する掲示姿勢と前記掲示物を包持するファイリング姿勢とを採り得るように構成され、前記掲示姿勢において前記掲示物を裏当て支持するとともに前記ファイリング姿勢において表紙として機能する基板本体を有したものであり、前記基板本体が、表表紙と、背表紙と、懸吊具用の一方の貫通孔が配された裏表紙と、接続表紙とをこの順に一体的に連設したものであり、前記裏表紙と前記接続表紙との間に山折り線が介在したものであり、前記接続表紙には、前記山折り線を介して前記裏表紙に重なるように折り返した際に、前記一方の貫通孔に合致する部位に懸吊具用の他方の貫通孔が形成されている。
【発明の効果】
【００１６】
以上説明したように本発明によれば、掲示面に好適に添接され得るものであり、用紙等の掲示物を好適に保持するとともに移動や保管をする場合の利便性にも優れた掲示装置を提供することができる。
【図面の簡単な説明】
【００１７】
【図１】本発明の一実施形態を示す斜視図。
【図２】同実施形態における正面図。
【図３】同実施形態における概略側面図。
【図４】同実施形態における基板の展開図。
【図５】同実施形態における分解斜視図。
【図６】同実施形態における基板がファイリング姿勢に至る過程を説明するための斜視図。
【図７】同実施形態における基板がファイリング姿勢に至る過程を説明するための斜視図。
【図８】同実施形態における基板がファイリング姿勢に至る過程を説明するための斜視図。
【図９】同実施形態における基板がファイリング姿勢にある状態を説明するための斜視図。
【図１０】同実施形態における他の使用例を示すための斜視図。
【発明を実施するための形態】
【００１８】
以下、本発明の一実施形態を、図１〜１０を参照して説明する。
【００１９】
この実施形態における掲示装置Ａは、図１に示すように、小学校や中学校等における教室の掲示面Ｂに画鋲ｖを用いて添接されるものである。掲示装置Ａは、例えば、掲示物であるＡ４サイズの用紙Ｓを、重ね貼り状態で掲示し得るものである。
【００２０】
掲示装置Ａは、掲示面Ｂに添接させるための画鋲ｖを貫装可能な貫通孔を形成するための領域ｒ１、ｒ２を有した基板１と、この基板１に設けられ前面側に掲示物たる用紙Ｓを着脱可能に保持するための綴じ具２とを具備してなる。そして、前記基板１が、図１に示すように、背面側が掲示面Ｂに添接する掲示姿勢（Ｋ）と、図９に示すように、前記用紙Ｓを包持するファイリング姿勢（Ｆ）とを採り得るように構成されている。基板１は、掲示姿勢（Ｋ）において画鋲ｖにより掲示面Ｂに対して止着される。
【００２１】
基板１は、主に、図２〜５に示すように、掲示姿勢（Ｋ）において用紙Ｓを裏当て支持するとともにファイリング姿勢（Ｆ）において表紙すなわち表表紙１１１、背表紙１１２、裏表紙１１３、及び、接続表紙１１４として機能する基板本体１１と、この基板本体１１の一端に設けられ前記掲示姿勢（Ｋ）において見出しとして機能する見出し部１２とを備えたものである。
【００２２】
基板１の内面すなわち掲示姿勢（Ｋ）における前面には、使用説明に関する図や説明書き（図示せず）が印刷により示されている。基板１を構成する基板本体１１及び見出し部１２は、図４に示すように、共通の紙材により一体に作られたものである。基板１は、図１０に示すように、懸吊具Ｔを掛止可能な懸吊具Ｔ用の貫通孔ｈ１をも有している。
【００２３】
以下、基板本体１１及び見出し部１２について詳述する。
【００２４】
基板本体１１は、用紙Ｓの背面側に配され、掲示姿勢（Ｋ）において、用紙Ｓの周縁に枠状の視認領域ｗを表出させることにより、用紙Ｓを掲示対象物として見栄え良くする作用を営むものである。基板本体１１は、図２〜図５に示すように、表表紙１１１と、背表紙１１２と、裏表紙１１３と、接続表紙１１４とを一体的に連設したものである。表表紙１１１と背表紙１１２との間には、谷折り線Ｌ３が介在させてある。背表紙１１２と裏表紙１１３との間には、谷折り線Ｌ４が介在させてある。裏表紙１１３と接続表紙１１４との間には、山折り線Ｌ５が介在させてある。掲示姿勢（Ｋ）では、表表紙１１１と背表紙１１２と裏表紙１１３とが、一枚の板状をなすように並べ配されるものとなり、用紙Ｓの背面側に位置することになる。
【００２５】
表表紙１１１は、ファイリング姿勢（Ｆ）において使用される係止片１１１ａを備えている。係止片１１１ａは、図２等に示されるように、円弧状のスリットｓ１により片持ち片状に形成されたものである。掲示姿勢（Ｋ）において、表表紙１１１における下側の縁部の二箇所には、画鋲ｖが貫通する貫通孔を形成するための領域ｒ１が設けられている。すなわち、この領域ｒ１は、小さな黒丸を印刷により示したものであり、画鋲ｖを刺し入れる位置を案内する機能を営むものである。使用者等が、画鋲ｖを前記領域ｒ１を目印にして差し込むと、その画鋲ｖを貫通させるとともに画鋲ｖを貫通した状態で支持するための貫通孔が形成される。
【００２６】
背表紙１１２は、表表紙１１１や裏表紙１１３よりも幅狭に形成されたものであり、ファイリング姿勢（Ｆ）における外面側に見出しを書き込むための書き込み領域１１２ａを備えている。
【００２７】
裏表紙１１３は、前記表表紙１１１と同様に、画鋲ｖが貫通する貫通孔を形成するための領域ｒ２が設けられている。すなわち、この領域ｒ２は、小さな黒丸を印刷により示したものであり、画鋲ｖを差し入れる位置を案内する機能を営むものである。裏表紙１１３は、接続表紙１１４側の縁部近傍に懸吊具Ｔを掛止可能な懸吊具用の貫通孔ｈ１を配している。さらに、懸吊具用の貫通孔ｈ１と前記領域ｒ２との間には、後述する綴じ具２の綴じ足２１を装着するための取付孔ｔ１、ｔ２が設けられている。
【００２８】
接続表紙１１４は、前記掲示姿勢（Ｋ）と前記ファイリング姿勢（Ｆ）とを採るべく、前記見出し部１２の前記基板本体１１に対する相対位置を変更するための複数の折り線たる第一、第二の谷折り線Ｌ１、Ｌ２を備えている。換言すれば、前記基板本体１１は、前記見出し部１２の前記基板本体１１に対する飛び出し姿勢を変更するための第一、第二の谷折り線Ｌ１、Ｌ２を備えている。より具体的に言えば、接続表紙１１４には、ファイリング姿勢（Ｆ）を採る際に折り曲げられる第一の谷折り線Ｌ１と、掲示姿勢（Ｋ）を採る際に折り曲げられる第二の谷折り線Ｌ２とが設けられている。
【００２９】
第一の谷折り線Ｌ１は、折り曲げられた際に、接続表紙１１４と見出し部１２との境界に設けられた谷折り線Ｌ６が、前記裏表紙１１３と接続表紙１１４との境界に設けられた山折り線Ｌ５に近接するように、接続表紙１１４の所定箇所に形成されている。
【００３０】
第二の谷折り線Ｌ２は、折り曲げられた際に、後述する見出し部１２のスリットｓ２が前記裏表紙１１３によって隠されるように、接続表紙１１４の所定箇所に形成されている。
【００３１】
なお、第一の谷折り線Ｌ１の上には、「保管時谷折り」という説明が印刷されており、第二の谷折り線Ｌ２の上には「見出しスペース使用時谷折り」という説明が印刷されている。また、この接続表紙１１４には、前記山折り線Ｌ５を介して裏表紙１１３に重なるように折り返した際に、前記懸吊具用の貫通孔ｈ１、及び、綴じ足用の取付孔ｔ１、ｔ２に合致する部位に、懸吊具用の貫通孔ｈ１’、及び、綴じ足用の取付孔ｔ１’、ｔ２’が形成されている。
【００３２】
見出し部１２は、前記接続表紙１１４に連続する基端側領域１２ａと基端側領域１２ａから連続した先端側領域１２ｂとを備えている。基端側領域１２ａには、ファイリング姿勢（Ｆ）において前記係止片１１１ａが係合するスリットｓ２が配されている。先端側領域１２ｂには、見出し用の文字等を書き込んだり貼り付けたりするための表示領域１２１が配されている。接続表紙１１４の第二の谷折り線Ｌ２を折り曲げた際には、見出し部１２における先端側領域１２ｂが、正面視において基板本体１１に隠されることなく表出するものとなる一方、基端側領域１２ａが基板本体１１の背後に位置し、基板本体１１によって隠されることになる。
【００３３】
続いて、綴じ具２について説明する。
【００３４】
綴じ具２は、前記基板１に植設され掲示物たる用紙Ｓに設けたパンチ孔ｓａに貫通可能な綴じ足２１と、この綴じ足２１の貫通端側に装着され用紙Ｓの前記綴じ足２１からの外れを防止する綴じ具本体２２とを備えたものである。
【００３５】
綴じ足２１は、基端に抜け止めフランジ２１１を備えた合成樹脂製により形成された紐状のもので、山折り線Ｌ５を介して裏表紙１１３と接続表紙１１４とを重ね合わせた状態で、基板１に取付けられている。すなわち、裏表紙１１３と接続表紙１１４とが重ね合わされた状態では、裏表紙１１３の取付孔ｔ１、ｔ２と接続表紙の取付孔ｔ１’、ｔ２’とが合致しており、これら取付孔ｔ１、ｔ１’、ｔ２、ｔ２’に前記綴じ足２１を挿通させている。
【００３６】
具体的には、前記綴じ足２１を、外側に位置する裏表紙１１３の取付孔ｔ１と接続表紙１１４の取付孔ｔ１’に、裏表紙１１３側から順番に挿通させて、抜け止めフランジ２１１を裏表紙１１３に係止させ、さらに、前記綴じ足２１の先端側を、内側に位置する接続表紙１１４の取付孔ｔ２’と裏表紙１１３の取付孔ｔ２に、接続表紙１１４側から順番に挿通させて、裏表紙１１３の内面側（前面側）に引き出すことにより取付けられている。この実施形態では、用紙Ｓに形成した一対のパンチ孔ｓａに対応させて二本の綴じ足２１が設けられている。
【００３７】
綴じ具本体２２は、用紙Ｓに添接するベース２２１と、このベース２２１にスライド可能に設けられたスライダ２２２とを具備してなる。
【００３８】
ベース２２１は、前記綴じ足２１が貫通する綴じ足挿通孔２２１ａを備えている。スライダ２２２は、前記ベース２２１にスライド可能に設けられたもので前記綴じ足２１が前記綴じ足挿通孔２２１ａに対して挿脱されるのを許容する退避位置（Ｎ）と綴じ足挿通孔２２１ａに挿通された綴じ足２１を折り曲げて前記ベース２２１との間で保持する保持位置（Ｍ）との間でスライドさせることができるようにしたものである。
【００３９】
次いで、掲示装置Ａの使用方法について説明する。
【００４０】
この掲示装置Ａを用いて、単数の又は複数枚重ね合わせた用紙Ｓを掲示する場合、換言すれば、基板１が掲示姿勢（Ｋ）を採る場合には、次のように使用される。すなわち、図１に示すように、接続表紙１１４に設けられた第二の谷折り線Ｌ２を折り曲げて、見出し部１２の先端側領域１２ｂを裏表紙１１３に隠されることなく表出させた状態で、表表紙１１１における貫通孔を形成するための領域ｒ１、及び裏表紙１１３における貫通孔を形成するための領域ｒ２に画鋲ｖを刺し、これらの画鋲ｖによって基板１を掲示面Ｂに止着する。裏表紙１１３における前記領域ｒ１に画鋲ｖを刺すと、当該画鋲ｖの先端は、接続表紙１１４、及び、接続表紙１４１と見出し部１２との境界付近の部位をそれぞれ貫通し、最後に掲示面Ｂに至ることになる。
【００４１】
なお、第二の谷折り線Ｌ２を折り曲げた状態で見出し部１２を上側に表示させるようにすると、第一の谷折り線Ｌ１を折り曲げた場合と比較して、裏表紙１１３と接続表紙１１４との間の山折り線Ｌ５からの離間寸法を長くなる。このため、山折り線Ｌ５に伴う紙材の弾性反発力が抑制されるものとなり、領域ｒ２に刺した状態の画鋲ｖが、掲示面Ｂから抜け出し難いものとなっている。この状態で、前記綴じ具２によりパンチ孔ｓａを穿設した用紙Ｓを基板本体１１の前面に保持させることにより、単数の用紙Ｓを掲示することが可能となるだけでなく複数枚の用紙Ｓを前後方向に積層された状態（いわゆる重ね貼り状態）で掲示することが可能になる。
【００４２】
一方、この掲示装置Ａを用いて、用紙Ｓを保管したり、移動させたりする場合には、前記基板１を掲示面Ｂから取り外してファイリング姿勢（Ｆ）に切り換える。
【００４３】
すなわち、図６に示すように、接続表紙１１４に設けられた第一の谷折り線Ｌ１を折り曲げて、掲示姿勢（Ｋ）にあるときよりも裏表紙１１３に対して外方に延出するように見出し部１２を引き延ばす。
【００４４】
次いで、図７に示すように、用紙Ｓを二つ折りに変形させる。
【００４５】
しかる後に、図８に示すように、谷折り線Ｌ６を折り曲げて、二つ折りに変形された用紙Ｓの上に見出し部１２を重ねる。
【００４６】
その後、図９に示すように、表表紙１１１を見出し部１２の上に重ね合わせてファイリングを行う。この状態で、基板１は、ファイリング姿勢（Ｆ）を採ることになる。なお、この状態で、表表紙１１１に配された係止片１１１ａと見出し部１２の基端側領域１２ａに配されたスリットｓ２とを係わり合わせれば、ファイリング姿勢（Ｆ）を維持することができる。なお、ファイリング姿勢（Ｆ）の掲示装置Ａは、Ｂ５ノートよりも小さな大きさを実現することも容易であり、鞄やランドセルの収納具に入れやすいものとなる。
【００４７】
以上説明したように、本実施形態に係る掲示装置Ａは、掲示面Ｂに添接させるための貫通孔を形成するための領域ｒ１、ｒ２を有した基板１と、この基板１に設けられ前面側に掲示物たる用紙Ｓを着脱可能に保持するための綴じ具２とを具備してなる。そして、前記基板１が、前記掲示面Ｂに添接する掲示姿勢（Ｋ）と前記用紙Ｓを包持するファイリング姿勢（Ｆ）とを採り得るように構成されている。このため、掲示面Ｂに好適に添接され得るものであり、用紙Ｓを好適に保持するとともに移動や保管をする場合の利便性にも優れた掲示装置Ａを提供することができるものとなる。
【００４８】
前記基板１が、画鋲ｖを貫装可能な貫通孔を形成するための領域ｒ１、ｒ２を有しているものであるため、掲示面Ｂに対して基板１を好適に添接させることができるものとなる。
【００４９】
前記基板１が、懸吊具Ｔを掛止可能な懸吊具用の貫通孔ｈ１を有しているものであるため、図１０に示すように、基板１を懸吊具Ｔを用いて掲示面Ｂに添接させることもできるものとなる。なお、このとき、基板１は、接続表紙１１４及び見出し部１２を、裏表紙１１３の裏側に添接させるようにして、利用することができるものとなっている。
【００５０】
前記基板１が、前記掲示姿勢（Ｋ）において前記用紙Ｓを裏当て支持するとともに前記ファイリング姿勢（Ｆ）において表紙すなわち表表紙１１１、背表紙１１２、裏表紙１１３、及び、接続表紙１１４として機能する基板本体１１と、前記基板本体１１の一端に連設され前記掲示姿勢（Ｋ）において見出しとして機能する見出し部１２とを備えている。このため、掲示姿勢（Ｋ）において、用紙Ｓを掲示するために、裏当て支持及び見出し表示の両機能を具備した基板１を提供することができるとともに、ファイリング姿勢（Ｆ）において、用紙Ｓを好適に包持し得る基板１を提供することができるものとなる。
【００５１】
前記綴じ具２が、前記基板１に植設され前記用紙Ｓに設けたパンチ孔ｓａに貫通可能な綴じ足２１と、この綴じ足２１の貫通端側に装着され前記用紙Ｓの前記綴じ足２１からの外れを防止する綴じ具本体２２とを備えている。このため、用紙Ｓを着脱可能に好適に保持し得るものとなる。しかも、綴じ足２１は、基板１が掲示面Ｂに支持された状態において、掲示面Ｂに対して概ね直交する方向に向かって突出することになる。このため、綴じ具２に対して用紙Ｓを追加保持させる際や用紙Ｓを抜きとる際に、掲示済みの用紙Ｓのパンチ孔ｓａが綴じ足２１に係わり合った状態におかれることになり、掲示済みの用紙Ｓが落下し難いものとなる。
【００５２】
前記基板本体１１及び前記見出し部１２が、共通の紙材により一体に作られたものであるため、製造の容易に寄与し得るものとなるのみならず使用者の使用の利便性に寄与し得るものとなる。
【００５３】
前記基板本体１１が、前記掲示姿勢（Ｋ）と前記ファイリング姿勢（Ｆ）とを採るべく、前記見出し部１２の前記基板本体１１に対する相対位置を変更するための複数の折り線すなわち第一の谷折り線Ｌ１と第二の谷折り線Ｌとを備えている。このため、掲示姿勢（Ｋ）とファイリング姿勢（Ｆ）という二つの異なる姿勢に対応して、見出し部１２の相対位置を好適なものに変更することができるものとなっている。
【００５４】
前記基板１が、前記掲示姿勢（Ｋ）において前記掲示物たる用紙Ｓを裏当て支持するとともに前記ファイリング姿勢（Ｆ）において表紙として機能する基板本体１１と、前記基板本体１１の一端に連設され前記掲示姿勢（Ｋ）において見出しとして機能するとともに前記ファイリング姿勢（Ｆ）において前記基板本体１１と係わり合う見出し部１２とを備えている。そして、一方である前記基板本体１１に配された係止片１１１ａと、他方である見出し部１２に配されたスリットｓ２とを係わり合わせることにより、前記ファイリング姿勢（Ｆ）が維持されるようになっている。このため、ファイリング姿勢（Ｆ）をシート状の基板１から形成された係止片１１１ａ及びスリットｓ２により容易に形成することができるとともにファイリング姿勢（Ｆ）を好適に維持することができるものとなる。
【００５５】
なお、本発明は、以上に詳述した実施形態に限られるものではない。
【００５６】
掲示装置は、学校に適用されるものには限られない。すなわち、学校に限らず、オフィス、工場、屋外の掲示板や壁面、或いは、一般の家屋等あらゆる場所において利用可能なものである。
【００５７】
止着具は、必ずしも画鋲に限られるものではなく、釘状のものやねじ状のものを用いてもよいし、その他種々の止着具を使用してもよい。懸吊具も、基板を吊り下げて支持させ得るものであればよく、紐状のものであってもよいし、フック状のものであってもよいし、棒状のものであってもよい。
【００５８】
掲示面は、掲示物を掲示するための領域を形成し得るものであればどのようなものであってもよい。
【００５９】
上述した実施形態では、基板には、画鋲を貫通させるべく貫通孔を形成するための領域のみが設けられ、使用時に使用者が画鋲を通過させることにより貫通孔を形成するようにしていたが、かかる態様に限定されるものではない。基板に、画鋲やねじ部材等の止着具を貫通させるべく、あらかじめ、貫通孔を設けたものとしてもよい。
【００６０】
掲示物は、上述した実施形態に示すような用紙に限られるものではなく、また、シート状のものに限定されるものではない。すなわち、掲示物は、綴じ具に着脱可能に保持され得るものであればどのようなものであってもよい。
【００６１】
綴じ具は、掲示物を着脱可能に保持し得るものであればよく、上述した実施形態のものに限定されるものではない。
【００６２】
上述した実施形態では、ファイリング姿勢を維持するべく、前記基板本体に係止片を配するとともに見出し部にスリットを配したものについて説明したがこのようなものに限定されるものではない。例えば、見出し部に係止片を配するようにし、基板本体に当該見出し部に設けた係止片と係わり合うスリットを配するようにしてもよい。
【００６３】
その他、各部の具体的構成についても上記実施形態に限られるものではなく、本発明の趣旨を逸脱しない範囲で種々変形が可能である。
【符号の説明】
【００６４】
１…基板
Ｂ…掲示面
ｒ１…貫通孔を形成するための領域
ｒ２…貫通孔を形成するための領域
Ｓ…用紙（掲示物）
２…綴じ具
（Ｋ）…掲示姿勢
（Ｆ）…ファイリング姿勢
【図１】
0006474272.tif 000002
【図２】
0006474272.tif 000003
【図３】
0006474272.tif 000004
【図４】
0006474272.tif 000005
【図５】
0006474272.tif 000006
【図６】
0006474272.tif 000007
【図７】
0006474272.tif 000008
【図８】
0006474272.tif 000009
【図９】
0006474272.tif 000010
【図１０】
0006474272.tif 000011